(57)【要約】      （修正有）【課題】３００〜３５０メッシュという微細な金網をフィルターとして使用できる排水の微細浮遊物除去装置を提供する。【解決手段】上面に開口部を有し、前壁２に原料流入管３，３’を、後壁５に液体取出管４及び固形物シュート６に連なる固形物取出口７を設けた長方形状の槽体１よりなる夾雑物を含有した排水の微細浮遊物除去装置であって、前記開口部には揺動運動を行えるようにフィルターを張設すると共に、前記原料流入管が前壁から後壁に向かって水平往復運動を行える分岐管１７に連なり、該分岐管より原料液体を前記フィルターに流下、供給して液体と固形物とに分離することを特徴とする夾雑物を含有した排水の微細浮遊物除去装置である。【選択図】図１
0003207564.tif 000002
【実用新案登録請求の範囲】
【請求項１】
上面に開口部を有し、前壁に原料流入管を、前壁と後壁との間の側壁に液体取出管及び固形物シュートに連なる固形物取出口を設けた長方形状の槽体よりなる夾雑物を含有した排水の微細浮遊物除去装置であって、前記開口部には揺動運動を行えるようにフィルターを張設すると共に、前記原料流入管はスイベルトジョイントにより水平往復運動を行えるようにして、前壁から後壁に向かって水平往復運動を行える分岐管に連結し、該分岐管より原料液体を前記フィルターに流下、供給して液体と固形物とに分離することを特徴とする夾雑物を含有した排水の微細浮遊物除去装置。
【請求項２】
フィルターの前端を横設した高速回転する偏心軸に受支取付け、後端をスプリングにより弾発的に支持したことを特徴とする請求項１記載の夾雑物を含有した排水の微細浮遊物除去装置。
【考案の詳細な説明】
【技術分野】
【０００１】
本考案は廃水処理等用排水中の微細浮遊物或いはプリント配線板剥離カス等の夾雑物を振動スクリーンにより分離、除去するための夾雑物を含有した排水の微細浮遊物除去装置に関する。
【０００２】
各種の汚水、洗浄排水等の処理に際し、この排水中にチップ屑、毛類、動物の糞中にある繊維状物を含む場合これら夾雑物は形状が細長く、かつ軽いために篩を用いると篩面に付着して目詰まりを起こしやすく、また沈積除去するには浮遊して不利である。
【０００３】
本考案者は先に排水中の繊維状夾雑物を除去する装置を発明した（特許文献１参照）。この装置は前部上方に原水流入管に連なる溢流樋ならびに下方に取出管を設け、後部に固形物シュートに連なる固形物取出口を設けた槽体の内部に、微細目の金網を張装した平板状の篩を前端近くの槽体に横設した高速回転する偏心軸に受支取付し、後端をスプリングにより弾発的に支持してほぼ水平に架設すると共に、篩下方には上方に噴射する散水管を設け、更に篩の後端にはそれぞれ上縁を重合して広幅の２枚のゴム板を、一方は槽体の後壁に内面に、また他の一方は固形物シュート上面に各添わせて垂下取付けてなる排水中の繊維状夾雑物を除去する装置である。
【先行技術文献】
【特許文献】
【０００４】
【特許文献１】実公昭６０−２２９８７号公報
【０００５】
即ち、この装置は篩の一方を高速回転する偏心軸に受支取付け、他端をスプリングによって弾発的に支持して篩自体を揺動させ、篩面上に供給された繊維状夾雑物を含有する液体は篩により繊維夾雑物と液体とに分離され、液体は篩下に流下するともに篩面上に残された繊維状夾雑物は篩の振動によって篩面に生じるぜん動状の造粒作用を受けて点在する粒状にまるめられながら篩の後端に向かって前進し、最後に固形物シュート上に落下するのである。
しかし、この装置をプリント配線板の剥離液を原水として処理しようとすると、剥離液中の剥離かすは近年ますます微細化され、篩のろ過面に使用する金網は微細メッシュ３００〜３５０メッシュでの連続処理が要求されるが、現状では２００メッシュが限度で任意の処理ができない。
【０００６】
更に、この装置では原水を原水流入管に連なる溢流樋からオーバーフローさせて一定の個所に落とすため、原水のろ過面積が狭く微細メッシュによる処理が困難であり、原水落下点の後部に固形物が多少残留し固形物残さが前面に滞留しやすいという欠点があった。
【考案の概要】
【考案が解決しようとする課題】
【０００７】
本考案者は上記の欠点を改良すべく種々検討した結果、本考案を完成したのであって、本考案の目的は処理水量が増大し、しかもろ過面の清掃効果によって目詰まりなく、安心して微細メッシュ（３５０メッシュ）によって微細な剥離かすが連続的に除去できる夾雑物を含有した排水の微細浮遊物除去処理装置を提供するにある。
【課題を解決するための手段】
【０００８】
即ち、本願発明の要旨は、上面に開口部を有し、前壁に原料流入管を、前壁と後壁との間の側壁に液体取出管及び固形物シュートに連なる固形物取出口を設けた長方形状の槽体よりなる夾雑物を含有した排水の微細浮遊物除去処理装置であって、前記開口部には揺動運動を行えるようにフィルターを張設すると共に、前記原料流入管はスイベルトジョイントにより、前壁から後壁に向かって水平往復運動を行える分岐管に連結し、該分岐管より原料液体を前記フィルターに流下、供給して液体と固形物とに分離することを特徴とする夾雑物を含有した排水の微細浮遊物除去装置である。
上面に開口部を有し、前壁に原料流入管を、後壁に液体取出管及び固形物シュートに連なる固形物取出口を設けた長方形状の槽体よりなる夾雑物を含有した排水の微細浮遊物除去処理装置であって、前記開口部には揺動運動を行えるように平板状のフィルターをほぼ水平に架設すると共に、フィルターのろ過面積を広範囲に利用するため前記原料流入管が前壁から後壁に向かって水平往復運動を行える分岐管に連なり、該分岐管より原料液体を前記フィルターに流化、供給して液体と固形物とに分離することを特徴とする夾雑物を含有した排水の微細浮遊物除去装置である。
【考案の効果】
【０００９】
本考案においては原料流入管の先端を複数の管に分岐し、分岐管全体を連続水平往復移動させることにより、フィルターのろ過面積を広範囲に拡大させることができ、原料水はポンプ圧送により分岐管に供給される原料水には適度のポンプ圧が加わり、微細メッシュでも原料水の押込圧によって処理量は増大し、さらに、分岐管によって篩面に供給された原料水は、原料水と原料水の間に一定の空間が保持されており、後進移動時は後部に残った夾雑物が篩の揺動運動との相互作用で、その空間より前進し篩上に夾雑物が残らず、篩面の清掃効果が大で連続運転ができ、その結果３００〜３５０メッシュという微細な金網をフィルターとして使用できる。更に分岐管の前進移動時の距離を任意に設定でき、夾雑物の篩面への排出の早さを調整できる等の効果を奏することができる。
【図面の簡単な説明】
【００１０】
【図１】本考案に係る微細浮遊物除去装置の側面断面図。
【図２】本考案に係る微細浮遊物除去装置の平面図。
【図３】図１における直線ＡＡより見た本考案に係る微細浮遊物除去装置の正面図。
【図４】本考案で使用する偏心軸部分の側面図。
【考案を実施するための形態】
【００１１】
本考案において、フィルターを揺動させる手段としては特に限定させるものではなく、その一例を示せば、例えば、フィルターの前端近くの槽体に横設した高速回転する偏心軸にフィルターの前端部を受支取付け、後端部をスプリングにより弾発的に支持することによりフィルター揺動させることができる。また、本装置においては原水供給管に連なる分岐管の移動手段は原水供給管をスイベルジョイントを介して前後に振らせ、分岐管先端を水平往復運動させる。
本考案に係る浮遊物質の除去装置は、プリント基板もしくはプリント配線板の剥離カスの除去装置をはじめとして多方面の用排水中の微細浮遊物質を除去する装置として利用できる。
【実施例】
【００１２】
図１は本考案に係る微細浮遊物除去装置の側面断面図、図２はその平面図である。図１及び図２において、１は槽体であって上面開口した長方形状に作られ、前壁２には原料流入管３，下部に液体取出管４が開設され、後壁５には固形物シュート６に連なる固形物取出口７が開設されている。
槽体１内には平板状の篩い８が前端に近い下面を槽体１に横架取付した偏心軸９を介し、また後端に近い両側をスプリング１０，１０を介して槽体１に支持して取り付けられている。この篩い８は後端を除いて縁を立設した周囲枠に細かい金網例えば３００〜３５０メッシュの金網を張設して形成されている。
偏心軸９は、図４より明らかなように大径部２７が両端小径部２８に対して偏心して形成され、小径部２８を槽体１に軸受を介して支持され、大径部２７をボールベアリング２９を介して篩い８の枠体下面に固着してある。小径部２８の一方には図２に示すようにプーリー１４が固着され、Ｖベルト１５を介して槽体１のモータ１６に接続されている。
槽体１内には原料流入管３の先端に当たる部分は分岐管１７に連なり、分岐管１７の尖端はノズル１８が形成されており、該ノズル１８より原料水を篩８に向かって流下させる（図３参照）。原料水は原水入り口１９よりスイベルトジョイント２０によって結合された原料流入管３’によって供給される。原料流入管３’はそのほぼ中間に取り付けられた支桿２１によってスイベルトジョイント２０を中心として前後に振られ、これによりノズル１８が水平に移動する。原料水は分岐管のノズル１８の水平移動によって篩８面に幅広く流下する。また、篩い８の後端には２枚の前だれゴム板２２，２３が上端縁を重合して添着され、それぞれ下端を一方は槽体１の後壁５内面に、他の一方は固形物シュート６上面に添い固形物取り出し口７を越えて垂下することによって固形物は篩面に戻ることなくゴム板２３を介して確実に固形物取出口に導かれるので好ましい。
【産業上の利用可能性】
【００１３】
以上のように、本考案に係る除去装置は構造簡単で効率的な分離を行うことができ、特に３００〜３５０メッシュという細かい篩によって排水中の微細浮遊物を分離することができるので、循環水の再利用生産工程中の有価物質の回収、例えばプリント配線板または基板の剥離カス等の夾雑物を振動スクリーンにより分離、除去し、洗浄溶剤を循環再利用ことができるので、産業上に利用可能性は大である。
【符号の説明】
【００１４】
１  槽体    ２  前壁    ３，３’  原料流入管    ４  取出管    ５  後壁
６  固形物シュート    ７  固形物取出口    ８  篩    ９  偏心軸
１０  スプリング    １１  支桿用電動減速機    １２  ローラー（車輪）
１３  ガイドレール    １４  Ｖプーリー    １５  Ｖベルト    １６  電動機
１７  分岐管    １８  ノズル    １９  原水入口    ２０  スイベルジョイント
２１  支桿    ２２，２３  前だれゴム板    ２４  軸受    ２５  固定ボルト
２６  安全カバー    ２７  小径部    ２８大径部
【図１】
0003207564.tif 000003
【図２】
0003207564.tif 000004
【図３】
0003207564.tif 000005
【図４】
0003207564.tif 000006